(57)【要約】【課題】エスカレータシステムの欄干部に取り付けられている移動手摺の裏側の清掃に関する負荷を軽減することを可能とすることである。【解決手段】移動手摺裏側清掃具４０は、作業者の左右の手でそれぞれ把持できる左右一対の握り棒部４２，４４と、左右一対の握り棒部４２，４４の間に接続配置されるワイヤであって、移動手摺が設けられる欄干部と移動手摺との間に挿入できる複数本の柔軟性を有するガイドワイヤ部４６と、各ガイドワイヤ部４６の長手方向の中央部に配置される清掃用ブラシ４８とを含んで構成される。各ガイドワイヤ部４６は、複数の相互に撚られた撚り線ワイヤであり、清掃用ブラシ４８は、各ガイドワイヤ部４６の撚り５０にからませて先端部を四方八方に向けるブラシ毛５２を含む。【選択図】図３
2009286528.tif 000002
【特許請求の範囲】
【請求項１】
左右の手でそれぞれ把持できる左右一対の握り棒部と、
左右一対の握り棒部の間に接続配置されるワイヤであって、移動手摺が設けられる欄干部と移動手摺との間に挿入できる複数本の柔軟性を有するガイドワイヤ部と、
各ガイドワイヤ部の長手方向の中央部に配置される清掃用ブラシと、
を備えることを特徴とする移動手摺裏側清掃具。
【請求項２】
請求項１に記載の移動手摺裏側清掃具において、
各ガイドワイヤ部は、複数の相互に撚られた撚り線ワイヤであり、
清掃用ブラシは、各ガイドワイヤの撚り線にからませて先端部を四方八方に向けるブラシ毛を含むことを特徴とする移動手摺裏側清掃具。
【請求項３】
請求項１に記載の移動手摺裏側清掃具において、
清掃用ブラシがそれぞれ配置される複数本のガイドワイヤ部の中央部に配置され、ふくらみを有して清掃用ブラシを持ち上げる連結パッド部を備えることを特徴とする移動手摺裏側清掃具。
【請求項４】
請求項１に記載の移動手摺裏側清掃具において、
複数本のガイドワイヤ部の部分に配置され、柔軟性を有するゴミ落ち防止布部を備えることを特徴とする移動手摺裏側清掃具。
【請求項５】
乗客コンベアにおける移動手摺の一部を欄干部から外す工程と、
外された移動手摺と欄干部の間に、両端に握り棒部を有し、その間に清掃用ブラシを含むガイドワイヤ部が取り付けられる清掃具を配置する工程と、
欄干部の上面と移動手摺の裏側のキャンパス部との間に清掃具を挟み込み、移動手摺を欄干部にはめ込む工程と、
両端の握り棒を用いて清掃具を移動させながら清掃用ブラシで移動手摺の裏側のキャンパス部を清掃する工程と、
移動手摺の一部を欄干部から外して清掃具を取り外し、再び移動手摺を欄干部にはめ込む工程と、
を含むことを特徴とする移動手摺清掃方法。
【発明の詳細な説明】
【技術分野】
【０００１】
本発明は、移動手摺裏側清掃具及び移動手摺清掃方法に係り、特に、乗客コンベアの欄干部に配置される移動手摺の裏側の清掃を行う移動手摺裏側清掃具及び移動手摺清掃方法に関する。
【背景技術】
【０００２】
エスカレータや移動歩道等の乗客コンベアには、乗客を運搬する踏み板あるいは歩道部分の両側に欄干部が設けられ、欄干部の上部には踏み板あるいは歩道部分と連動して無端状に移動する移動手摺が設けられる。この移動手摺は、欄干部の上面をくるむような断面形状を有し、欄干部に接する裏側は適当な剛性を有する布材であるキャンパスで構成され、ユーザが手で触れる表面は手触りのよいゴム材あるいはプラスチック材で覆われる。
【０００３】
移動手摺の裏側のキャンパスと、欄干部の上面とは、相対的に移動するので、金属等で構成される欄干部の上面とキャンパスとが摩擦される。これにより、移動手摺の裏側のキャンパスに、摩耗粉、あるいはその他の汚れが付着し、移動手摺と欄干部との間の摩擦抵抗が増加し、移動手摺を駆動する駆動装置への負荷が大きくなり、移動手摺の速度が遅くなることが生じる。そのために、メンテナンスとして、移動手摺の裏側のキャンパスをブラシ等で擦り、摩耗粉やその他の汚れを除去することが行われる。
【０００４】
例えば、特許文献１には、エスカレータ等の乗客コンベアの移動手摺の裏側のキャンパスの汚れを自動的に清掃する手摺清掃装置として、エスカレータシステムで無端状に構成されている移動手摺が裏側を上面側に向ける位置になるところにキャンパスのゴミをはがす清掃用ブラシを設け、移動手摺の移動速度が汚れのために遅くなることを検出し、このブラシを上下させて、キャンパスを清掃することが述べられている。
【０００５】
【特許文献１】特開平１０−７３６８号公報
【発明の開示】
【発明が解決しようとする課題】
【０００６】
乗客コンベアの運行状況にもよるが、移動手摺の裏側を清掃する必要が生じる頻度は数ヶ月に１度、あるいは１年に数回程度であり、特許文献１に記載される自動的手摺清掃装置を設けるよりも、作業者がメンテナンスで清掃する場合の方がまだ多い実情である。
【０００７】
作業者が移動手摺の裏側を清掃するには、無端状になっている移動手摺を欄干部から外してひっくり返し、裏側を作業しやすい表側に向けることが行われる。上記のように、移動手摺は欄干部の上面をくるむような断面形状を有し、しかも移動手摺は無端状で切れ目等がない。このために、欄干部から移動手摺を外して裏側を表側に向ける作業はかなりの力仕事となり、少なくとも２人の作業者を要する。また、無端状に続く移動手摺の裏側をブラシで擦り摩耗粉や汚れ等を除去するのにかなりの力仕事と時間とを要する。
【０００８】
本発明の目的は、欄干部に取り付けられている移動手摺の裏側の清掃に関する負荷を軽減することを可能とする移動手摺裏側清掃具及び移動手摺清掃方法を提供することである。
【課題を解決するための手段】
【０００９】
本発明に係る移動手摺裏側清掃具は、左右の手でそれぞれ把持できる左右一対の握り棒部と、左右一対の握り棒部の間に接続配置されるワイヤであって、移動手摺が設けられる欄干部と移動手摺との間に挿入できる複数本の柔軟性を有するガイドワイヤ部と、各ガイドワイヤ部の長手方向の中央部に配置される清掃用ブラシと、を備えることを特徴とする。
【００１０】
また、本発明に係る移動手摺裏側清掃具において、各ガイドワイヤ部は、複数の相互に撚られた撚り線ワイヤであり、清掃用ブラシは、各ガイドワイヤの撚り線にからませて先端部を四方八方に向けるブラシ毛を含むことが好ましい。
【００１１】
また、本発明に係る移動手摺裏側清掃具において、清掃用ブラシがそれぞれ配置される複数本のガイドワイヤ部の中央部に配置され、ふくらみを有して清掃用ブラシを持ち上げる連結パッド部を備えることが好ましい。
【００１２】
また、本発明に係る移動手摺裏側清掃具において、複数本のガイドワイヤ部の部分に配置され、柔軟性を有するゴミ落ち防止布部を備えることが好ましい。
【００１３】
また、本発明に係る移動手摺清掃方法は、乗客コンベアにおける移動手摺の一部を欄干部から外す工程と、外された移動手摺と欄干部の間に、両端に握り棒部を有し、その間に清掃用ブラシを含むガイドワイヤ部が取り付けられる清掃具を配置する工程と、欄干部の上面と移動手摺の裏側のキャンパス部との間に清掃具を挟み込み、移動手摺を欄干部にはめ込む工程と、両端の握り棒を用いて清掃具を移動させながら清掃用ブラシで移動手摺の裏側のキャンパス部を清掃する工程と、移動手摺の一部を欄干部から外して清掃具を取り外し、再び移動手摺を欄干部にはめ込む工程と、を含むことを特徴とする。
【発明の効果】
【００１４】
上記構成により、移動手摺裏側清掃具は、左右の手でそれぞれ把持できる左右一対の握り棒部と、左右一対の握り棒部の間に接続配置されるワイヤであって、移動手摺が設けられる欄干部と移動手摺との間に挿入できる複数本の柔軟性を有するガイドワイヤ部と、各ガイドワイヤ部の長手方向の中央部に配置される清掃用ブラシとを備える。したがって、欄干部と移動手摺との間にガイドワイヤを挿入し、移動手摺の裏側に清掃用ブラシを宛がって、左右の手で握り棒を持って左右に動かすことで、移動手摺の裏側の汚れ等を容易に除去することができる。
【００１５】
また、移動手摺裏側清掃具において、各ガイドワイヤ部は、複数の相互に撚られた撚り線ワイヤであり、清掃用ブラシは、各ガイドワイヤの撚り線にからませて先端部を四方八方に向けるブラシ毛を含む。したがって、簡単な構成で柔軟性のある清掃用ブラシとすることができる。
【００１６】
また、移動手摺裏側清掃具において、清掃用ブラシがそれぞれ配置される複数本のガイドワイヤ部の中央部に配置され、ふくらみを有して清掃用ブラシを持ち上げる連結パッド部を備える。これにより、清掃用ブラシを移動手摺の裏側に十分押し付けて清掃を行うことができる。
【００１７】
また、移動手摺裏側清掃具において、複数本のガイドワイヤ部の部分に配置され、柔軟性を有するゴミ落ち防止布部を備える。これによって、清掃して除去した汚れ等が散乱し、再付着すること等を防止できる。
【００１８】
また、移動手摺清掃方法は、乗客コンベアにおける移動手摺の一部を欄干部から外し、外された移動手摺と欄干部の間に清掃具を配置し、欄干部の上面と移動手摺の裏側のキャンパス部との間に清掃具を挟み込み、移動手摺を欄干部にはめ込み、両手で両端の握り棒を用いて清掃具を移動させながら清掃用ブラシで移動手摺の裏側のキャンパス部を清掃し、清掃が終了すれば移動手摺の一部を欄干部から外して清掃具を取り外し、再び移動手摺を欄干部にはめ込む。このようにして、移動手摺を欄干部から外す部分を最小限として、移動手摺の裏側の清掃を行うことができる。これによって、欄干部から移動手摺を裏返す必要もなくなり、清掃のための力仕事の負荷が大幅に軽減される。
【発明を実施するための最良の形態】
【００１９】
以下に図面を用いて本発明に係る実施の形態につき詳細に説明する。以下では、乗客コンベヤの例としてエスカレータを説明するが、欄干部と移動手摺を有するものであれば、これ以外のもの、例えば移動歩道等であってもよい。また、欄干部の上面が鍔付とし、この鍔の張出部を覆うように移動手摺が下側に湾曲する構造を説明するが、これは一例であって、欄干部の上面をくるむように移動手摺が覆う構造であれば、乗客コンベアの仕様に応じその構造を変更可能である。また、以下で説明する材料、寸法等は一例であって、乗客コンベアの仕様、特に欄干部と移動手摺の仕様に応じて変更が可能である。
【００２０】
以下では、全ての図面において同様の要素には同一の符号を付し、重複する説明を省略する。また、本文中の説明においては、必要に応じそれ以前に述べた符号を用いるものとする。
【００２１】
図１は、エスカレータシステム１０のメンテナンスにおいて、作業者８が移動手摺裏側清掃具４０を用いて移動手摺３０の裏側の清掃を行っている様子を示す図である。ここでエスカレータシステム１０は、上層階１２と下層階１４を結び、図示されていない踏み段を順次移動させて、踏み段に乗る乗客を運ぶ機能を有するものである。エスカレータシステム１０は、踏み段を循環して移動させる無端状の駆動チエーン等を収納するスカート部１６が上層階１２と下層階１４を結んで配置され、そのスカート部１６の上に欄干部１８が踏み段の両側に配置される。欄干部１８は、例えば、乗客が踏み段の端部からはみ出さないように案内し保護する機能等を有する。欄干部１８の上には、踏み段の運行と同期して動く移動手摺３０が設けられ、踏み段の上の乗客はこの移動手摺３０を掴んで、上層階と下層階との間を移動することができる。
【００２２】
移動手摺裏側清掃具４０は、移動手摺３０の裏側を清掃する道具である。上記のように、移動手摺３０と欄干部１８とは相対的な移動をするので、移動手摺３０の裏側は欄干部１８の上部に擦られることがあり、その摩擦によって摩耗粉が生じ、あるいは、外部のゴミ等を巻き込むことがある。そのために移動手摺３０の裏側、および場合によっては欄干部１８の上部に汚れ等が付着し、移動手摺３０の移動負荷が大きくなって、移動手摺３０の移動速度が遅くなることが起こり得る。そこで、作業者８がメンテナンスとして、移動手摺３０の裏側を清掃するが、移動手摺裏側清掃具４０は、そのための道具である。
【００２３】
移動手摺裏側清掃具４０は、作業者８が左右の手でそれぞれ把持できる左右一対の握り棒部４２，４４と、左右一対の握り棒部４２，４４の間に接続配置されるワイヤであって、移動手摺が設けられる欄干部と移動手摺との間に挿入できる複数本の柔軟性を有するガイドワイヤ部４６と、各ガイドワイヤ部４６の長手方向の中央部に配置される清掃用ブラシ４８とを備えて構成される。
【００２４】
移動手摺裏側清掃具４０は、作業者８が両手で広げて持てる程度の大きさで、清掃用ブラシ４８が配置されるガイドワイヤ部４６は柔軟性を有するので、移動手摺３０を欄干部１８から一部分外して隙間を作り、その隙間に移動手摺裏側清掃具４０を潜りこませることができる。このための移動手摺３０を欄干部１８から外す部分は、およそ数１０ｃｍで済む。従来は、移動手摺３０を裏向けにして裏側を清掃する方法であるため、無端状でかなりの重量と剛性を有する移動手摺３０の長さのほぼ半分程度を欄干部１８から外して裏向けにする作業が必要である。これに比べれば、数１０ｃｍの部分のみ、移動手摺３０を欄干部１８から外し、その隙間に移動手摺裏側清掃具４０を潜りこませる作業で済むことになる。
【００２５】
図２は、欄干部１８の上部部材２０と移動手摺３０の裏側に移動手摺裏側清掃具４０を潜りこませ、移動手摺３０を再び欄干部１８にはめ込んだ状態を示す断面図である。
【００２６】
欄干部１８は、図１で説明したように、スカート部１６の上に立設される部材で、例えば、適当な金属材料、プラスチック材料で構成される。意匠等を考慮して、透明のアクリル板で両面を構成するものとしてもよい。欄干部１８の上部部材２０は、移動手摺３０を案内し保持する部分で、頂部が幅広の鍔状に広がったレール状の部材である。その形状から、上部部材２０は単に、レールと呼ばれることがある。欄干部１８の上部部材２０は、例えば適当な金属材料、プラスチック材料で構成することができる。
【００２７】
移動手摺３０は、欄干部１８の上部部材２０に移動可能に配置され、欄干部１８の上側ではその上部部材２０に案内され、欄干部１８の下側ではスカート部１６の中を通る無端状で一体化された環状部材である。移動手摺３０は、欄干部１８の上側において、欄干部１８の上部部材２０の鍔部をくるむように下側に湾曲し、Ｃ字の開口部を下向きにした断面形状を有する。移動手摺３０の幅は、乗客が手で把持できる程度の大きさで、例えば１０ｃｍ内外である。移動手摺３０の下側に湾曲する部分の高さ寸法は、例えば数ｃｍである。
【００２８】
移動手摺３０は、積層構造をなしている。すなわち、移動手摺３０は、乗客が把持する表面側は、手触りが良いように適当な柔らかさのプラスチックゴム３２が配置され、欄干部１８の上部部材２０に面する裏側には、適当な剛性を有するキャンパス布から構成されるキャンパス部３４が配置され、その間には適当な中間層が配置される。
【００２９】
したがって、移動手摺３０の裏側のキャンパス部３４は、欄干部１８の上部部材２０と向かい合って配置される。キャンパス部３４と上部部材２０との間には、移動手摺３０が上部部材２０に沿って案内され移動できるように適当なガタ隙間が設けられる。例えば、キャンパス部３４と、上部部材２０の頂部の平坦面とのガタ隙間は、上下方向で数ｍｍ程度設けられる。
【００３０】
移動手摺裏側清掃具４０は、この数ｍｍのガタ隙間を利用して、キャンパス部３４と上部部材２０との間に挟まれて配置される。この配置は、上記のように、欄干部１８から移動手摺３０を例えば移動方向に沿って３０ｃｍ程度外し、移動手摺３０の左右の一方側から、キャンパス部３４と上部部材２０の間に一方側の握り棒部４２を移動手摺３０の左右の他方側へ潜らせ、他方の握り棒部４４はそのまま移動手摺３０の一方側に残し、再び移動手摺３０を欄干部１８にはめ込む。
【００３１】
このようにして、キャンパス部３４と上部部材２０との間に清掃用ブラシ４８を含むガイドワイヤ部４６を挟み込み、移動手摺３０の左右にそれぞれ握り棒部４２，４４が出ている図２の状態とできる。この状態で、図２に示す白抜き矢印の方向に、握り棒部４２，４４を揺動往復させることで、キャンパス部３４に付着した摩耗粉、汚れ等を清掃用ブラシ４８でこすり落とすことができる。また、上部部材２０に付着した汚れ等も除去できる。
【００３２】
図３は、移動手摺裏側清掃具４０の詳細図で、（ａ）が平面図、（ｂ）が側面図である。左右の握り棒部４２，４４は、作業者８が手で把持できる太さの木材、プラスチック材、金属材の棒材で構成される。左右の握り棒部４２，４４の間に数本配置されるガイドワイヤ部４６は、欄干部１８の上部部材２０と移動手摺３０との間のガタ隙間に挿入できるように適当な柔軟性を有するワイヤである。図３の例では、左右の握り棒部４２，４４の間に４本のガイドワイヤ部４６が張り渡される。
【００３３】
それぞれのガイドワイヤ部４６は、複数本の単線ワイヤを撚って構成される。そして、左右の握り棒部４２，４４の間の中央部に相当する部分には、清掃用ブラシ４８が配置される。清掃用ブラシ４８は、単線ワイヤの撚り５０のところに、先端部が四方八方を向くように複数のブラシ毛５２をからませたものである。かかるガイドワイヤ部４６は、単線ワイヤとして金属製の針金を用いることができる。また、清掃用ブラシ４８のブラシ毛５２としては、ナイロンブラシ毛、あるいは金属線ブラシ毛を用いることができる。
【００３４】
ガイドワイヤ部４６の中央部に配置される清掃用ブラシとしては、キャンパス部３４の表面を擦り、摩耗粉や汚れ等を除去できるものであればよい。例えば、ガイドワイヤ部４６に適当な凹凸をつけてこれを清掃用ブラシとしてもよく、また、ガイドワイヤ部４６に切歯を有する別部材を複数取り付けてこれを清掃用ブラシとしてもよい。また、場合によっては、ガイドワイヤ部４６に適当な削り粉を固定し、あるいは塗りつけたものとしてもよい。
【００３５】
図４は、別の構成の移動手摺裏側清掃具６０を示す図である。ここでは、左右の握り棒部６２，６４に、作業者８の指がかけられるように、適当な穴部が設けられている。また、清掃用ブラシ４８がそれぞれ配置される複数本のガイドワイヤ部４６の中央部には、連結パッド部６６が配置され、連結パッド部６６の下側で左右の握り棒部６２，６４の間にはゴミ落ち防止布部６８が配置される。
【００３６】
連結パッド部６６は、適当な弾力を有する部材で、各ガイドワイヤ部４６の下側に配置される。連結パッド部６６は、各ガイドワイヤ部４６の清掃用ブラシ４８を持ち上げ、移動手摺３０の裏側のキャンパス部３４に清掃用ブラシ４８が当たりやすく、適当な弾力で押し付ける機能を有する。連結パッド部６６は、例えば、適当な弾力を有するプラスチックゴム板、クッション材を内部に有する布製袋等で構成することができる。連結パッド部６６は、清掃用ブラシ４８を有する各ガイドワイヤ部４６に適当な括り付け部材で固定するものとできるほか、ゴミ落ち防止布部６８と各ガイドワイヤ部４６との間に挟みこむものとすることができる。
【００３７】
ゴミ落ち防止布部６８は、複数本のガイドワイヤ部４６の下側、連結パッド部６６の下側に配置され、清掃用ブラシ４８によって擦られて除去された摩耗粉、汚れを散乱しないように受け止める適当な柔軟性を有する布である。ゴミ落ち防止布部６８を用いることで、移動手摺の裏側清掃の作業においてゴミが散乱することを防止できる。ゴミ落ち防止布部６８は、丈夫な布を左右の握り棒部６２，６４に両端部を適当に固定することで配置することができる。
【００３８】
図５は、移動手摺裏側清掃方法の手順を示すフローチャートである。移動手摺の裏側の清掃を行うには、図３で説明した移動手摺裏側清掃具４０を準備する（Ｓ１０）。図４で説明した移動手摺裏側清掃具６０を準備するものとしてもよい。次に、エスカレータシステム１０を保守のために停止し、作業エリアを確保する。そして、移動手摺３０を欄干部１８から、移動方向に沿って約３０ｃｍ程度外す（Ｓ１２）。外す位置は、図１で示すように下層階１４のところ、あるいは上層階１２のところが足場が安定しているので好ましい。勿論、それ以外のところで移動手摺３０を外すものとしてもよい。そして、図２で説明したような手順で、外された移動手摺３０のキャンパス部３４と欄干部１８の上部部材２０との間のガタ隙間に、図３で説明した移動手摺裏側清掃具４０を挟んで配置する（Ｓ１４）。そして、移動手摺３０を欄干部１８にはめ込み（Ｓ１６）。これにより、清掃用ブラシ４８がキャンパス部３４と上部部材２０の間に挟みこまれ、左右の握り棒部４２，４４が移動手摺３０の左右に出ている状態となる。
【００３９】
そこで、作業者８は、左右の手で、左右の握り棒部４２，４４を用いて移動手摺裏側清掃具４０を左右に移動させながら、清掃用ブラシ４８で、移動手摺３０の裏側のキャンパス部３４をブラッシングして清掃する（Ｓ１８）。そして、エスカレータシステム１０の踏み段を順次登って行きながら、下層階１４の側から上層階１２の方へ、移動手摺３０の裏側を順次清掃する。上層階１２まで達すると、移動手摺裏側清掃具４０をしっかり把持したまま、エスカレータシステム１０を手動モードで静かに作動させ、移動手摺３０を半周分下層階１４側に移動させる。そしてエスカレータシステム１０を停止させ、その位置、つまり上層階１２の位置で、ブラッシングを行い、その後、踏み段を順次下って行きながら、上層階１２の側から下層階１４の方へ、移動手摺３０の裏側を順次清掃する。下層階１４に達すると、移動手摺３０は一周分清掃されたことになる。
【００４０】
なお、これ以外の手順を用いて、移動手摺３０の裏側を一周分順次清掃するものとしてもよい。例えば、作業者８は常に下層階１４または上層階１２にいて、エスカレータシステム１０を手動モードで小刻みに移動させるものとしてもよい。
【００４１】
このようにして移動手摺３０の一周分の清掃が終わると、再び移動手摺３０を３０ｃｍ程度外す（Ｓ２０）。そして、移動手摺裏側清掃具４０を移動手摺３０と欄干部１８との間から外す（Ｓ２２）。その後、移動手摺３０を欄干部１８にはめ込み、元の状態に戻す（Ｓ２４）。そして作業エリアを撤去し、エスカレータシステム１０を通常の運行モードに戻す。こうして、軽い負荷で、短時間で、移動手摺３０の裏側の清掃を終了させることができる。
【図面の簡単な説明】
【００４２】
【図１】本発明に係る実施の形態の移動手摺裏側清掃具を用いて、エスカレータシステムのメンテナンスにおいて、作業者が移動手摺３０の裏側の清掃を行っている様子を示す図である。
【図２】本発明に係る実施の形態の移動手摺裏側清掃具を欄干部の上部と移動手摺の裏側に潜りこませ、移動手摺を再び欄干部にはめ込んだ状態を示す断面図である。
【図３】本発明に係る実施の形態の移動手摺裏側清掃具の詳細図である。
【図４】本発明に係る実施の形態において、別の構成の移動手摺裏側清掃具を示す図である。
【図５】本発明に係る実施の形態において、移動手摺裏側清掃方法の手順を示すフローチャートである。
【符号の説明】
【００４３】
８  作業者、１０  エスカレータシステム、１２  上層階、１４  下層階、１６  スカート部、１８  欄干部、２０  上部部材、３０  移動手摺、３２  プラスチックゴム、３４  キャンパス部、４０，６０  移動手摺裏側清掃具、４２，４４，６２，６４  握り棒部、４６  ガイドワイヤ部、４８  清掃用ブラシ、５０  撚り、５２  ブラシ毛、６６  連結パッド部、６８  ゴミ落ち防止布部。
【図１】
2009286528.tif 000003
【図２】
2009286528.tif 000004
【図３】
2009286528.tif 000005
【図４】
2009286528.tif 000006
【図５】
2009286528.tif 000007